(57)【特許請求の範囲】
【請求項１】
箱型に形成され１乃至複数の挿通孔が貫設されるケースと、前記挿通孔と各々対向して前記ケース内に配設され前記挿通孔を介して入線される電線を鎖錠接続する速結端子と、を備え、
前記速結端子は、少なくとも前記ケース内にて前記電線の入線方向に沿って配設される端子板と、前記端子板と対向して配置されて入線する前記電線を前記端子板へ押圧することで前記電線と前記端子板とを電気的に接続する錠ばねと、から構成され、
前記端子板の前記挿通孔へ向かって延びる先端部は、入線する前記電線から離れる方向に曲折され、
前記端子板の前記先端部には前記電線へ向かって入線方向に傾斜する傾斜面が形成されており、
前記端子板は、前記電線の入線方向に沿って配設される立設部と、前記立設部の先端から前記挿通孔へ向かって延びる端子片とを有し、前記端子片の先端には前記傾斜面が形成されており、
前記ケースは、前記電線の入線方向に沿って配設される起立部と、前記起立部の先端から前記挿通孔へ向かって延びる突起片とを有し、
前記端子板を前記ケースに装着した状態では、前記立設部が前記起立部の内面に当接し且つ前記突起片の先端が前記端子片の前記傾斜面により覆われていることを特徴とする端子装置。
【発明の詳細な説明】
【技術分野】
【０００１】
本発明は、ネジによらずに電線を接続する、所謂速結の端子装置に関するものである。
【背景技術】
【０００２】
従来より、ネジによらずに電線の接続を可能にした、所謂速結の端子装置が提供されて
いる（例えば、特許文献１参照）。そして、この種の端子装置は、例えば一般住宅内等に
設置される分電盤内に取り付けられ、分電盤の各分岐ブレーカより配電される電源コンセ
ントのアース端子と電線を介して電気的に接続されることで、電源コンセントに接続され
る電気機器の接地を行っている。
【０００３】
この様な端子装置は、箱型に形成され１乃至複数の挿通孔が貫設されるケースと、挿通
孔と各々対向してケース内に配設され挿通孔を介して入線される電線を鎖錠接続する速結
端子とを備える。ここで速結端子は、少なくともケース内にて電線の入線方向に沿って配
設される端子板と、端子板と対向して配置されて入線する電線を端子板へ押圧することで
電線と端子板とを電気的に接続する錠ばねとから構成される。
【０００４】
ところで特許文献１に記載の端子装置は、端子板の挿通孔へ向かって延びる先端部の角
が切断加工により削られており、これにより電線へ向かって入線方向に傾斜する傾斜面が
形成される。従って、挿通孔を介して入線される電線は、当該傾斜面により速結端子へ案
内されるため電線の接続作業を容易に行うことができる。
【先行技術文献】
【特許文献】
【０００５】
【特許文献１】特開２０００−２４３４８３号公報
【発明の概要】
【発明が解決しようとする課題】
【０００６】
しかしながら、従来の端子装置は、金属材から形成される端子板の前記先端部の周縁に
バリが形成されていることがあり、電線を入線する際に電線の先端が当該バリに接触して
邪魔になる恐れがあった。また、特許文献１に記載の端子装置は端子板の角を切断加工す
ることで傾斜面の周縁にバリが形成され易く、かえって接続作業性を悪くすることもあっ
た。
【０００７】
本発明は上記事由に鑑みて為されたものであり、その目的は、端子板に形成されるバリ
による接続作業性の低下を防ぐことができる端子装置を提供することにある。
【課題を解決するための手段】
【０００８】
請求項１の発明は、上記目的を達成するために、箱型に形成され１乃至複数の挿通孔が貫設されるケースと、前記挿通孔と各々対向して前記ケース内に配設され前記挿通孔を介して入線される電線を鎖錠接続する速結端子と、を備え、前記速結端子は、少なくとも前記ケース内にて前記電線の入線方向に沿って配設される端子板と、前記端子板と対向して配置されて入線する前記電線を前記端子板へ押圧することで前記電線と前記端子板とを電気的に接続する錠ばねと、から構成され、前記端子板の前記挿通孔へ向かって延びる先端部は、入線する前記電線から離れる方向に曲折され、前記端子板の前記先端部には前記電線へ向かって入線方向に傾斜する傾斜面が形成されており、前記端子板は、前記電線の入線方向に沿って配設される立設部と、前記立設部の先端から前記挿通孔へ向かって延びる端子片とを有し、前記端子片の先端には前記傾斜面が形成されており、前記ケースは、前記電線の入線方向に沿って配設される起立部と、前記起立部の先端から前記挿通孔へ向かって延びる突起片とを有し、前記端子板を前記ケースに装着した状態では、前記立設部が前記起立部の内面に当接し且つ前記突起片の先端が前記端子片の前記傾斜面により覆われていることを特徴とする。
【０００９】
この発明によれば、端子板の挿通孔へ向かって延びる先端部は、入線する電線から離れ
る方向に曲折されるので、たとえ前記先端部の周縁にバリが形成されたままであっても、
電線を入線する際に電線の先端が当該バリに接触して邪魔になるといったことがない。因
って、端子板に形成されるバリによる接続作業性の低下を防ぐことができる。
【００１１】
また、端子板の前記先端部には電線へ向かって入線方向に傾斜する傾斜面が形成されるので、前記傾斜面が電線の速結端子への案内役となって電線の入線をより行い易くすることができる。
【発明の効果】
【００１２】
本発明では、端子板に形成されるバリによる接続作業性の低下を防ぐことができるとい
う効果がある。
【図面の簡単な説明】
【００１３】
【図１】本発明の実施形態の断面図である。
【図２】同上における分解斜視図である。
【図３】（ａ）は同上における端子板の斜視図で、（ｂ）は同上におけるベースの斜視図である。
【図４】同上における説明図である。
【発明を実施するための形態】
【００１４】
以下、本発明の実施形態について、図１〜図４を参照して説明する。尚、以下の説明で
は、図２において上下左右前後方向を規定している。本実施形態の端子装置１は、図１及
び図２に示すように、ケース２と速結端子３とを備え、例えば一般住宅内等に設置される
分電盤（図示せず）内に取り付けられる。
【００１５】
ケース２は、図１及び図２に示すように全体として左右方向に延びる細長の矩形箱に形
成されており、絶縁性材料により形成され下面が開口する箱型のカバー２１と、金属材に
より矩形板状に形成されてカバー２１の開口を塞ぐように取り付けられるケース２の底部
たるベース２２とから構成される。カバー２１の上壁部２１ａには、図１及び図２に示す
ように前後方向中心部よりやや前方寄りに左右方向に亘って６個の挿通孔４が等間隔に貫
設される。また、各挿通孔４からやや右寄りの前方には、図２に示すように差込口５が貫
設される。
【００１６】
カバー２１の前壁部２１ｂ及び後壁部２１ｃの下端部には、図２に示すように図示しな
い分電盤内に着脱自在に取り付けるための４つの係合部６（図中では前壁部２１ｂ側の２
つのみ図示）が各々外側に向かって突設される。前記下端部の係合部６近傍には各々内部
に貫通する係止孔（図示せず）が左右方向に並設されている。カバー２１の左壁部２ｄ及
び右壁部２ｅの下方周縁部には、図２に示すように上方へ窪んでなる凹部７が各々設けら
れている（図中では左壁部２ｄ側のみ図示）。また、カバー２１内側には内部空間を６等
分するように５つのリブ（図示せず）が左右方向に並設される。
【００１７】
ベース２２は、図１、図２及び図３（ｂ）に示すように矩形板状に形成された底部２２
ａと、底部２２ａの前後両端部から左右方向に亘って互いに対向するように上方へ延びる
前起立部２２ｂ及び後起立部２２ｃと、を備え、左右方向から見たときに上方が開口する
コ字形状に形成されてなる。前起立部２２ｂ及び後起立部２２ｃ上部には、互いに対向す
るように上方へ延びる６つの突起片９、並びに６つの凸部１０が左右方向に並設される。
また、前起立部２２ｂ及び後起立部２２ｃの外面下部には、上述したカバー２１の図示し
ない係止孔に係止するための爪部（図示せず）が突設される。
【００１８】
底部２２ａの左右両端部には、各々外側に延出した後に上方へ曲折され更に外側へ折り
返してなる一対の延出片８，８が配設され、その端部には孔部８ａ，８ａが各々貫設され
る。尚、延出片８，８は、互いの外側へ折り返される端部の上下方向に対する位置が、延
出片８の厚さ幅程度だけ異なるよう設定されている。そして、ベース２２には上方から後
述する端子板３２が装着される。
【００１９】
速結端子３は、図１、図２及び図３（ａ）に示すように６個の錠ばね３１と端子板３２
とから構成される。錠ばね３１は、弾性を有する導電性材料によって形成された帯板の中
央部たる中央片３１ａと、帯板の上端部が略Ｌ字形状に曲折されることで中央片３１ａと
の距離を広げるように傾斜する鎖錠片３１ｂと、前記帯板の下端部が略Ｓ字形状に曲折さ
れることで中央片３１ａの厚み方向に弾性を有する押圧片３１ｃとから構成される。尚、
錠ばね３１の左右方向の寸法は上述した凸部１０の左右方向の寸法と略等しく、且つ突起
片９及びその右横に窪んで形成される挿入口１５の両方を合わせた左右方向の寸法と略等
しく設定している。
【００２０】
端子板３２は、図１、図２及び図３（ａ）に示すように導電性を有する金属材により矩
形板状に形成された基部３２ａと、基部３２ａの前端部から左右方向に亘って上方へ延び
る立設部３２ｂとを備え、左右方向から見たときにＬ字形状に形成されてなる。立設部３
２ｂ上部には、上方へ延びる６つの端子片３２ｃが左右方向に並設される。ここで本実施
形態の端子片３２ｃの先端部は、図１及び図３（ａ）に示すように前方へ向かって曲折さ
れる。尚、端子片３２ｃの左右方向の寸法は上述した突起片９の左右方向の寸法と略等し
く設定している。
【００２１】
基部３２ａの左右両端部には、ベース２２と同様に各々外側に延出した後に上方へ曲折
され更に外側へ折り返してなる一対の連結片１１，１１が配設され、その端部には孔部１
１ａ，１１ａが各々貫設される。連結片１１の前後両端部には下方へ延出して更に内側へ
突出する略鉤形の係合爪１１ｂ，１１ｂが設けられている。尚、連結片１１，１１は、上
述の延出片８，８と同様に互いの外側へ折り返される端部の上下方向に対する位置が、延
出片８の厚さ幅程度だけ異なるよう設定されている。
【００２２】
次に本実施形態の端子装置１の組立て手順について説明する。先ず、端子板３２をベー
ス２２に上方から取り付ける。すなわち、端子板３２の基部３２ａをベース２２の底部２
２ａに当接させて、６つの端子片３２ｃが６つの突起片９と各々対向するように立設部３
２ｂを前起立部２２ｂの内面に当接させる。このとき図２に示すように突起片９の上端部
は端子片３２ｃの曲折される先端部により覆われる。そして、端子板３２の連結片１１，
１１を延出片８，８に対して押し下げることで、係合爪１１ｂ、１１ｂは、延出片８，８
の前後両端部に当接して弾性変形により外側へ撓ませた後に弾性復帰力により延出片８，
８の前記両端部と各々係合する。これにより連結片１１，１１が延出片８，８上面の略全
体を被覆するように取り付けられ、端子板３２はベース２２に装着される。
【００２３】
続いて図２に示すように６個の錠ばね３１を端子板３２が装着されたベース２２の開口
内に向かって挿入する。このとき、錠ばね３１の中央片３１ａをベース２２の後起立部２
２ｃに当接させて、且つ鎖錠片３１ｂ及び押圧片３１ｃを所望の隙間１２を空けて端子板
３２の端子片３２ｃ及び挿入口１５に各々対向させる。そして、互いの長手方向を揃えな
がらカバー２１をベース２２に向かって降ろす。すると、上述したベース２２の図示しな
い爪部は、カバー２１の前後両壁部２１ｂ，２１ｃを外側へ撓ませながらカバー２１の開
口内に挿入される。また、カバー２１内側の図示しない５つのリブは、隣り合う錠ばね３
１，３１の間にある隙間と隣り合う凸部１０，１０の間にある隙間とに嵌入して６個の錠
ばね３１の左右方向への傾きを防止している。底部２２ａ及び基部３２ａの左右両端部は
、カバー２１の凹部７，７に各々嵌合する。そして、前後両壁部２１ｂ，２１ｃの弾性復
帰力により図示しない係止孔に前記爪部が各々係止する。前記係止によりカバー２１とベ
ース２２とが結合して、図１に示すように隙間１２の真上に挿通孔４が配置するように速
結端子３がケース２内に収納される。但し、連結片１１，１１はケース２の左右両端下部
から外部に延出される。
【００２４】
上述のような端子装置１は、図示しない分電盤内に複数個取り付けられる場合において
長手方向に沿って互いに連結させることができる。すなわち、前記分電盤内の隣接し合う
端子装置１，１において、互いの連結片１１，１１に貫設される孔部１１ａ，１１ａ、及
び延出片８，８に貫設される孔部８ａ，８ａの中心部の位置合わせを行って、これらの４
つの孔部に挿通するボルト（図示せず）をナット（図示せず）に螺合することで連結させ
ることができる。また、端子装置１，１は、前記連結により機械的な接続だけでなく電気
的な接続もなされる。更に、上述した通り端子装置１の左右両端にある連結片１１及び延
出片８の上下方向に対する位置が互いに異なるように設定されているので、２つの端子装
置１，１同士を連結させたときにケース２，２の上面同士を互いに面一とすることができ
る。
【００２５】
そして、端子装置１の速結端子３は次のようにケース２内に入線される電線を鎖錠接続
する。すなわち、図４に示すように電線１３の一端部より露出する芯線先端を上下方向に
沿って挿通孔４に挿通すると、図１に示すように前記芯線先端は各々ケース２内で対応す
る錠ばね３１の押圧片３１ｃによって端子片３２ｃに押し当てられるとともに、鎖錠片３
１ｂが前記芯線先端に食い込んで係止することにより鎖錠接続される。電線１３の他端部
は、例えば分電盤内の分岐ブレーカ（図示せず）と対応する電源コンセント（図示せず）
のアース端子に接続される。尚、本実施形態の端子装置１は、ケース２の差込口５、及び
挿入口１５を通じて、例えばマイナスドライバの先端を挿入して鎖錠片３１ｂの右端を下
方に押圧することで、前記鎖錠接続を解除して電線１３をケース２から引き外すことがで
きる。
【００２６】
以下、本実施形態の端子装置１の作用について説明する。従来の端子装置は、従来技術
で述べたように電線を入線する際に電線の先端が端子板の先端部の周縁に形成されるバリ
に接触して邪魔になる恐れがあった。また、特許文献１に記載の端子装置は端子板の角を
切断加工することで傾斜面の周縁にバリが形成され易く、かえって接続作業性を悪くする
こともあった。これに対して本実施形態の端子片３２ｃの先端部は、図１及び図４に示す
ように前方へ向かって曲折されており、たとえ前記先端部の周縁にバリが形成されたまま
であっても、電線１３をケース２内に入線する際に電線１３の芯線先端が当該バリに接触
して邪魔になるといったことがない。因って、端子板３２に形成されるバリによる接続作
業性の低下を防ぐことができる。
【００２７】
また、本実施形態の端子片３２ｃの先端部には、図１及び図４に示すように切断加工に
よるものではなく、前方へ向かって曲折されることにより電線１３へ向かって入線方向に
傾斜する傾斜面１４が形成される。従って、上述の効果に加えて傾斜面１４が電線１３の
速結端子３への案内役となって電線１３の入線をより行い易くすることができる。
【符号の説明】
【００２８】
１  端子装置
２  ケース
３  速結端子
４  挿通孔
１３  電線
１４  傾斜面
３１  錠ばね
３２  端子板
３２ｃ  端子片
【図１】
0005385750.tif 000002
【図２】
0005385750.tif 000003
【図３】
0005385750.tif 000004
【図４】
0005385750.tif 000005